(57)【要約】      （修正有） 【課題】中皿を必要とせず、高い構造強度と、固形物だけでなくペースト状あるいはクリーム状の内容物の収容にも適する高い密閉性とを備えた蓋付容器を、低コストで提供する。【解決手段】合成樹脂製材料の一体成型により形成した蓋付容器であり、第一及び第二の折曲部１３、１４にて折り曲げ可能に連接する底面部１０と連結部１１と蓋面部１２から構成し、底面部上面には周壁１５ａ、ｂを立設して成る収容部１６を、蓋面部上面には周壁上端が嵌合可能に立設したリブ環１７ａ、ｂを形成して成り、二つの折曲部で蓋付容器を折り曲げて周壁上端にリブ環を嵌合させ密閉可能とすると共に、リブ環を外環と内環の二重環から構成し、周壁上端を両環の隙間に嵌合させることにより収容部を蓋面部で密閉可能とし、周壁の連結部側の基部には固定孔１８を、連結部上面には固定爪１９を設け、第一の折曲部を折り曲げて固定孔に固定爪を結合させることで、周壁側面に連結部を固定可能とした。【選択図】図４
0003195186.tif 000002
【実用新案登録請求の範囲】
【請求項１】
合成樹脂製材料の一体成型により形成した蓋付容器であって、第一及び第二の折曲部にて折り曲げ可能に連接する底面部と連結部と蓋面部から構成し、底面部上面には周壁を立設して内部に内容物を収容可能とする収容部を、蓋面部上面には周壁上端が嵌合可能に立設したリブ環とをそれぞれ形成して成り、二つの折曲部にて蓋付容器を折り曲げて周壁上端にリブ環を嵌合させることにより、収容部を蓋面部により密閉可能としたことを特徴とする一体成型蓋付容器。
【請求項２】
前記リブ環は外環と内環の二重環から成り、前記周壁上端を両環の隙間に嵌合させることにより、収容部を蓋面部により密閉可能としたことを特徴とする、請求項１に記載の一体成型蓋付容器。
【請求項３】
前記周壁の連結部側の基部には固定孔を、連結部上面には固定爪をそれぞれ設けて成り、第一の折曲部を折り曲げて固定孔に固定爪を結合させることにより、周壁側面に連結部を固定可能としたことを特徴とする、請求項１又は２のいずれかに記載の一体成型蓋付容器。
【考案の詳細な説明】
【技術分野】
【０００１】
本考案は、ファンデーション等の固形の化粧料だけでなく、ペースト状あるいはクリーム状の化粧料をはじめとする内容物を充填して保管するための蓋付容器であって、内容物を収容する収容部と収容部を密閉する蓋体とを一体成型する新規な構造に関するものである。
【背景技術】
【０００２】
従来、化粧料等を収容する蓋付容器は、いわゆるコンパクトのように収容部と蓋部を別体として形成し、収容部の一端に蓋体の一端をヒンジ機構を介して回動可能に軸支して取り付けたものが一般的であったが、複数の部材から構成するために、それぞれの部材のための金型を必要とし、コスト高となるものであった。そのため、容器の製造コストに見合った高価な化粧料等のケースに用途が限定されるものであった。
【０００３】
これに対して、たとえば特許文献１に記載の化粧料の交換用中皿の収納容器に示す如く、容器本体と蓋体を合成樹脂製材料の真空成型等により一体的に形成し、容器本体に化粧料等を充填した中皿を収納する収容容器が提案されている。かかる簡易な構造の収納容器によれば、部材点数を減らして低コストでの製造することができ、用途が広がるだけでなく、使用後の容器自体のリサイクルを容易とできる利点がある。
【特許文献１】特開平１０−７５８１７号公報
【０００４】
しかし、かかる一体成型蓋付容器では、容器本体と蓋体とを容器本体の基部に位置する１か所のヒンジ部で結合するため、密閉時には蓋体を容器本体の側方から被せて密閉する構造としている。そのため、特に蓋体を構成する部材の板厚を極めて薄肉として可撓性を持たせつつ、容器本体の周壁については強度確保のため内部に空間を設けた中空構造として厚みを持たせるよう成型する必要があり、収容可能な中皿の大きさ、すなわち化粧料等の内容量に比べて、容器の大きさは大きくなりがちであった。
【０００５】
また、板厚の薄い部材から成る構造は、外圧により容易に変形して破損し易いだけでなく、多少の外圧を受けただけでも容器本体と蓋体との間に隙間を生じて容器の密閉性が失われ易くなる。そのため、内容物は別体の中皿に収容することによってその漏出を防ぐ必要があり、ファンデーションのような固形物の収容には適していても、クリームやペースト状の内容物の収容には必ずしも適さなかった。
【考案の開示】
【考案が解決しようとする課題】
【０００６】
本考案は、かかる先行技術の有する課題を解決するべく創作されたものであり、合成樹脂製材料の一体成型により、収容部とこれを密閉可能な蓋体とを一つの部材として形成することで、中皿を必要とせず、高い構造強度と、固形物だけでなくペースト状あるいはクリーム状の化粧料等の収容にも適する高い密閉性を備えた蓋付容器を、低コストで提供せんとするものである。
【課題を解決するための手段】
【０００７】
上記課題を解決するために、請求項１に記載した一体成型蓋付容器は、合成樹脂製材料の一体成型により形成した蓋付容器であって、第一及び第二の折曲部にて折り曲げ可能に連接する底面部と連結部と蓋面部から構成し、底面部上面には周壁を立設して内部に内容物を収容可能とする収容部を、蓋面部上面には周壁上端が嵌合可能に立設したリブ環とをそれぞれ形成して成り、二つの折曲部にて蓋付容器を折り曲げて周壁上端にリブ環を嵌合させることにより、収容部を蓋面部により密閉可能としたことを特徴とする。
【０００８】
本考案に係る一体成型蓋付容器は、収容部を有する底面部とリブ環を有する蓋面部とを連結部を介して二つの折曲部にて折り曲げ可能に連接するよう、単一の合成樹脂製部材として一体成型しているため、一つの金型の上下抜きのみによる単純な工程により極めて低コストで製造可能である。
【０００９】
また、蓋面部は、収容部の周壁の高さに対応した長さを有する連結部を介して、第一第二の二つの折曲部にて底面部に連接しており、従来のコンパクト等の蓋のヒンジ構造に相当する第二の折曲部を収容部の周壁上端と同平面に配置できるため、蓋面部を収容部の上方から被せて密閉することができる。そのため、周壁や蓋面部のリブ環は薄肉にする必要がなく、任意の板厚にて構成可能であり、蓋付容器全体の構造強度を高めることができる。また、周壁を中空構造とする必要もないため、収容部の容量に対して蓋付容器全体の大きさを最小化することができる。さらに、収容部の周壁上端にリブ環を嵌合させることにより、収容部は蓋面部により強固に密閉されるため、中皿が不要となるだけでなく、収容したペースト状あるいはクリーム状の化粧料等が容易に漏出するおそれもなくなる。
【００１０】
次に、請求項２に記載した考案は、請求項１に記載した一体成型蓋付容器であって、前記リブ環を外環と内環の二重環から構成し、前記周壁上端を両環の隙間に嵌合させることにより、収容部を蓋面部により密閉可能としたことを特徴とする。
【００１１】
本考案の構成では、二重のリブ環の隙間に収容部の周壁上端が貫入する形で嵌合するため、蓋面部による収容部の密閉はより強固となり、収容した化粧料等の漏出がより効果的に防止されるだけでなく、蓋付容器全体の構造強度がさらに向上する。
【００１２】
次に、請求項３に記載した考案は、請求項１又は２のいずれかに記載した一体成型蓋付容器であって、前記周壁の連結部側の基部には固定孔を、連結部上面には固定爪をそれぞれ設けて成り、第一の折曲部を折り曲げて固定孔に固定爪を結合させることにより、周壁側面に連結部を固定可能としたことを特徴とする。
【００１３】
本考案に係る一体成型蓋付容器は、密閉時には、まず第一の折曲部を９０°折り曲げて連結部と蓋面部を垂直に立ち上げた後、さらに第二の折曲部を９０°折り曲げることにより収容部を蓋面部により密閉するが、第一の折曲部を折り曲げた際に前記固定爪が前記固定孔に結合することにより、連結部は収容部の周壁側面に固定される。これにより、第二の折曲部をヒンジとして蓋面部が収容部の周壁上端において開閉可能に固定されるため、以降は蓋面部の開閉の都度第一の折曲部を折り曲げる必要がなくなり、ワンタッチで開閉が可能な一般的な蓋付容器と同様の取扱いが可能となる。
【考案の効果】
【００１４】
本考案によれば、蓋付容器全体を単一の合成樹脂製部材として一体成型できるため低コストで製造が可能となる。また、収容部や蓋面部を任意の板厚で構成可能であるため、蓋付容器全体の構造強度を確保しつつ、収容量に対してミニマムな大きさのコンパクトな蓋付容器を実現できる。さらに、内皿を用いることなく、固形物はもとよりペースト状あるいはクリーム状の化粧料等を収容した場合にも、高い密閉効果によりその不測の漏出を防止することができる。
【考案を実施するための最良の形態】
【００１５】
（第一実施形態）
以下に、本考案を実施するための形態の例を、図を用いて説明する。図１乃至図３は、本考案の第一実施形態に係る一体成型蓋付容器１の、開放時における平面図、側面図、下面図であり、図４はその断面図である。
【００１６】
一体成型蓋付容器１は、底面部１０、連結部１１、蓋面部１２とから成り、蓋面部１０と連結部１１は第一の折曲部１３で、連結部１１と蓋面部１２とは第二の折曲部１４で折り曲げ可能に連接する形で一体成型されている。底面部１０の上面には略円筒状の周壁１５により囲まれる形で収容部１６が、蓋面部１２の上面には同心円状に外側のリブ環１７ａと内側のリブ環１７ｂをそれぞれ立設している。周壁１５は、その外側面の段差により上部１５ａと基部１５ｂを構成し、前記二重のリブ環の隙間に周壁の上部１５ａが貫入して嵌合することにより、蓋面部１２にて収容部１６を密閉した際には、外側のリブ環１７ａが周壁の基部１５ｂと面一を成すように構成している。なお、リブ環１７ａの連結部１１側の一部には切欠き１７ｃを設けており、密閉する際にリブ環１７ａが周壁の上部１５ａと干渉することなく、リブ環１７ｂが周壁の上部１５ａの内面に嵌合するようにしている。さらに、周壁１５の連結部１１側の基部には固定孔１８を、連結部１１の上面には固定爪１９をそれぞれ形成しており、固定爪１９は固定孔１８に結合可能としている。
【００１７】
図５乃至図７は、同じく本考案の第一実施形態に係る一体成型蓋付容器１の密閉時における平面図、側面図、下面図であり、図８はその斜視図である。また図９は、密閉時の一体成型蓋付容器１を、両端が開口した別体の略直方体のスリーブ３０に収容した状態を示す斜視図である。
【００１８】
密閉時には、第一の折曲部１３及び第二の折曲部１４をそれぞれ９０°折り曲げて底面部１０、連結部１１、蓋面部１２が側面視略コの字型とすることで、蓋面部１２が収容部１６を上方から密閉する。この際、前記固定づめ１９が前記固定孔１８に結合されるため、連結部１１は周壁１５の側面に固定され、蓋面部１２は第二の折曲部１４をヒンジとして周壁の上部１５ａの上端に開閉可能に固定される。これで、一体成型蓋付容器１は、蓋面部１２をワンタッチで開閉可能な容器として使用可能となる。
【００１９】
かかる構成としたことにより、一体形成蓋付容器１は単一の合成樹脂製部材として一体成型可能となり、一つの金型の上下抜きのみによる単純な工程により極めて低コストで製造可能である。そして、収容部１６は、周壁１５の上部１５ａが二重のリブ環１７ａ、１７ｂに挟まれる形で密閉されるため、内部に収容した化粧料等が漏出しないよう厳重に密閉される。
【００２０】
密閉時の一体形成蓋付容器１は、全体として平面視略直方体状の形状となるため、複数を紙箱等の包装容器に並べたり重ねたりして入れて包装する際の取扱いが極めて容易となるだけでなく、一つ一つをフィルム包装する場合にも包装し易くなる。
【００２１】
また、図９に示す如く、別体のスリーブ３０に収容した場合は、包装時の取扱いがさらに容易となるだけでなく、個々の一体成型蓋付容器１は、外函に収めた書籍の如き外観を呈するため、商品としての美観を向上させるだけでなく、スリーブ３０の表面に様々な印刷を施して自由な意匠を実現することができる。
【００２２】
なお、本実施形態では、収容部１６の形状を略円筒状としているが、これをたとえば、升のような略直方体状とし、リブ環１７をこれに対応する略方形とすることも可能であり、その形状は任意である。また、底面部１０及び蓋面部１２の形状は隅端部をＲ状とした略正方形としているが、これらを収容部の略円筒状に合わせた略半円状とすることも可能であり、その形状は任意である。
【００２３】
（第二実施形態）
また、第一実施形態では、外側のリブ環１７ａには切欠き１７ｃを設けているが、容器自体に高い密閉性が必要とされない場合には、周壁の上部１５ａの高さやリブ環１７の立設高さを浅くしてもよい。その場合、蓋面部１２の開閉時に外側のリブ環１７ａと周壁の上部１５ａとの抵触の問題はなくなるため、図１０に示す如く、切欠き１７ｃを省略することも可能である。
【００２４】
（第三実施形態）
さらに、一体成型蓋付容器１の用途上、必ずしもワンタッチでの開閉が要求されない場合には、図１１に示す第三実施形態の如く、固定孔１８及び固定爪１９を省略することも可能である。
【００２５】
（第四実施形態）
図１２は、第一実施形態に係る一体成型蓋付容器１に、さらに、底面部１０の上面の折曲部１３側を除く三方の外周縁と、蓋面部１２の上面の折曲部１４側を除く三方の外周縁とに、それぞれ外側壁４０a、４０bを立設して成る第四実施形態の四面図である。外側壁４０aと４０bの高さは、合わせて密閉時の底面部１０と蓋面部１２の間隔に対応するようにしており、密閉時には、連結部１１側の一部を除いて一体成型蓋付容器１の外周側面全体が外側壁４０aと４０bにより閉鎖される。なお、かかる外側壁４０a、４０bも、一体成型蓋付容器１の成型時に同時に形成することができる。
【００２６】
かかる構成により、密閉時の一体成型蓋付容器１は、外部から収容部１６が見えないように隠蔽されるから、全体が略直方体状の外観を呈して美観を向上させることができる。これにより、複数の一体成型蓋付容器１を箱詰めする場合の取扱いがより容易になるほか、樹脂フィルムによりシュリンク包装する際にフィルムの密着性が向上するという効果も期待できる。
【００２７】
以上、本考案に係る一体成型蓋付容器の実施形態の具体的な構成について詳細に説明したが、本考案は上記実施形態に限定されるものではなく、本考案の技術的思想の範囲内において改良又は変更が可能であり、それらは本考案の技術的範囲に属する。
【産業上の利用可能性】
【００２８】
本考案に係る一体成型蓋付容器は、単一の部材として一体成型可能であるため、一つの金型で製造できるだけでなく、組立工程も要さないため極めて低コストで製造できる。携帯用の化粧料容器としてはもとより、医薬品や食品等の包装容器、コンタクトレンズの保存容器等としても幅広く適用可能である。特に、衛生上の観点から容器の使い捨て使用が適当な用途に適しており、廃棄時にも分解や素材の分別も不要であるためリサイクルの容易性においても有利である。
【図面の簡単な説明】
【００２９】
【図１】第一実施形態の開放時の平面図
【図２】第一実施形態の開放時の側面図
【図３】第一実施形態の開放時の底面図
【図４】第一実施形態の開放時の断面図
【図５】第一実施形態の密閉時の平面図
【図６】第一実施形態の密閉時の側面図
【図７】第一実施形態の密閉時の底面図
【図８】第一実施形態の密閉時の斜視図
【図９】第一実施形態を別体のスリーブ３０に収容した状態を示す斜視図
【図１０】第二実施形態の開放時の平面図及び側面図
【図１１】第三実施形態の開放時の平面図及び側面図
【図１２】第四実施形態の密閉時の四面図
【符号の説明】
【００３０】
１    一体成型蓋付容器
１０  底面部
１１  連結部
１２  蓋面部
１３  第一の折曲部
１４  第二の折曲部
１５  周壁
１５ａ  周壁の基部
１５ｂ  周壁の上部
１６  収容部
１７  リブ環
１７ａ  外側のリブ環
１７ｂ  内側のリブ環
１８  固定孔
１９  固定爪
２０  底面部の成型溝
２１  蓋面部の成型溝
３０  スリーブ
４０a  外側壁（底面部側）
４０b  外側壁（蓋面部側）
【図１】
0003195186.tif 000003
【図２】
0003195186.tif 000004
【図３】
0003195186.tif 000005
【図４】
0003195186.tif 000006
【図５】
0003195186.tif 000007
【図６】
0003195186.tif 000008
【図７】
0003195186.tif 000009
【図８】
0003195186.tif 000010
【図９】
0003195186.tif 000011
【図１０】
0003195186.tif 000012
【図１１】
0003195186.tif 000013
【図１２】
0003195186.tif 000014